(57)【要約】【課題】アドレス放電の失敗確率を減少させ、電力回収効率を向上させるプラズマ表示装置およびその駆動方法を提供する。【解決手段】本発明のプラズマ表示装置は、アドレス電極を駆動するアドレス電極駆動部３００に電力回収用キャパシタＣ１とアドレス電極との間に電力回収用スイッチＳ３が連結され、Ｖａ電圧を供給する電源とアドレス電極との間に駆動用スイッチＳ１が連結される。接地端とアドレス電極との間には接地用スイッチＳ２が連結される。アドレス電極駆動部３００は、アドレス電極の電圧を０Ｖ電圧からＶａ電圧に変更する期間中に所定期間の間電力回収用スイッチＳ３を導通し、アドレス電極の電圧をＶａ電圧から０Ｖ電圧に変更する期間中に所定期間の間電力回収用スイッチＳ３を導通する。このとき、電力回収用スイッチＳ３を６２ｎｓ以上導通させる。これにより、アドレス放電失敗確率を減少させ、電力回収効率が向上される。【選択図】図２
2009042731.tif 000002
【特許請求の範囲】
【請求項１】
電極と、
電力回収用キャパシタおよび駆動回路を有する駆動部と、
を備え、
前記駆動回路は、前記電力回収用キャパシタと前記電極の間の電流経路を制御する第１スイッチを備え、
前記駆動部は、前記電極の電圧を第１電圧から第２電圧に変更する期間中第１期間の間に前記第１スイッチを導通し、前記電極の電圧を前記第２電圧から前記第１電圧に変更する期間中第２期間の間に前記第１スイッチを導通し、
前記第１期間および前記第２期間は、それぞれ６２ｎｓ以上であることを特徴とする、プラズマ表示装置。
【請求項２】
前記駆動回路は、集積回路形態に形成されていることを特徴とする、請求項１に記載のプラズマ表示装置。
【請求項３】
前記電極と前記電力回収用キャパシタを連結するパッケージング連結部材をさらに備え、
前記駆動回路は、前記パッケージング連結部材に備えられていることを特徴とする、請求項１に記載のプラズマ表示装置。
【請求項４】
前記パッケージング連結部材は、テープキャリアパッケージを有することを特徴とする、請求項３に記載のプラズマ表示装置。
【請求項５】
前記第１期間および前記第２期間は、それぞれ１３２ｎｓ以下であることを特徴とする、請求項１〜４のいずれかに記載のプラズマ表示装置。
【請求項６】
前記駆動部は、
前記第１電圧を供給する第１電源と前記電極の間に連結されている第２スイッチと、
前記第２電圧を供給する第２電源と前記電極の間に連結されている第３スイッチと、
をさらに備えることを特徴とする、請求項５に記載のプラズマ表示装置。
【請求項７】
アドレス電極と前記アドレス電極に連結されるアドレス駆動回路を備えるプラズマ表示装置の駆動方法であって、
前記アドレス電極の電圧を第１電圧から第２電圧に変更する第１の変更段階と、
前記アドレス電極の電圧を前記第１電圧から前記第２電圧に変更する期間中、前記アドレス駆動回路の前記アドレス電極と電力回収用キャパシタの間の電流経路を制御する前記スイッチを導通する第１の導通段階と、
前記アドレス電極に前記第２電圧を印加する第２電圧印加段階と、
前記アドレス電極の電圧を前記第２電圧から前記第１電圧に変更する第２の変更段階と、
前記アドレス電極の電圧を前記第２電圧から前記第１電圧に変更する期間中前記スイッチを導通する第２の導通段階と、
前記アドレス電極に前記第１電圧を印加する第１電圧印加段階と、
を含み、
前記第１の導通段階および前記第２の導通段階における前記スイッチを導通する時間は、６２ｎｓ以上であることを特徴とする、プラズマ表示装置の駆動方法。
【請求項８】
前記アドレス駆動回路は、集積回路形態に形成されていることを特徴とする、請求項７に記載のプラズマ表示装置の駆動方法。
【請求項９】
前記プラズマ表示装置は、前記アドレス電極と前記電力回収用キャパシタを連結するパッケージング連結部材をさらに備え、
前記アドレス駆動回路は、前記パッケージング連結部材に備えられていることを特徴とする、請求項７に記載のプラズマ表示装置の駆動方法。
【請求項１０】
前記第１の変更段階において前記アドレス電極の電圧を前記第２電圧に変更した後、前記アドレス電極に前記第２電圧を印加する前に前記アドレス電極をフローティングする第１のフローティング段階と、
前記第２の変更段階において前記アドレス電極の電圧を前記第１電圧に変更した後、前記アドレス電極に前記第１電圧を印加する前に前記アドレス電極をフローティングする第２のフローティング段階と、
をさらに含むことを特徴とする、請求項８または９に記載のプラズマ表示装置の駆動方法。
【発明の詳細な説明】
【技術分野】
【０００１】
本発明は、プラズマ表示装置およびその駆動方法に関する。
【背景技術】
【０００２】
プラズマ表示装置は、気体放電によって生成されたプラズマを用いて、文字または映像を表示するプラズマ表示パネルを用いた表示装置である。このようなプラズマ表示パネルには複数の放電セル（以下、「セル」という。）がマトリックス形態に配列されている。
【０００３】
このようなプラズマ表示装置では、１フレームが複数のサブフィールドに分割されて駆動され、各サブフィールドのアドレス期間では複数の走査電極に順次に走査パルスを印加し、複数のアドレス電極に選択的にアドレスパルスを印加する。このとき、走査電極およびアドレス電極は容量性成分で作用するので、パネルにはキャパシタンス成分が存在する。そのため、アドレス電極にアドレスパルスを印加するためにはアドレス放電のための電力以外に、パネルキャパシタに所定の電圧を発生させる無効電力が必要である。従って、アドレス電極にアドレスパルス印加時に発生する無効電力を回収し再使用するため、電力回収用キャパシタを用いてパネルキャパシタを充電または放電している。
【発明の開示】
【発明が解決しようとする課題】
【０００４】
しかし、パネルキャパシタを充電または放電する時間が短いほど電力回収効率が減少する。一方、パネルキャパシタを充電または放電する時間が長いほどアドレスパルス幅が狭くなり、アドレス放電が十分に起こらない。
【０００５】
そこで、本発明は、上記問題に鑑みてなされたものであり、本発明の目的とするところは、アドレス放電の失敗確率を減らしながら、電力回収効率を向上させることが可能な、新規かつ改良されたプラズマ表示装置およびその駆動方法を提供することにある。
【課題を解決するための手段】
【０００６】
上記課題を解決するために、本発明のある観点によれば、電極と、電力回収用キャパシタおよび駆動回路を有する駆動部と、を備えるプラズマ表示装置が提供される。かかるプラズマ駆動装置の駆動回路は、電力回収用キャパシタと電極の間の電流経路を制御する第１スイッチを備える。そして、駆動部は、電極の電圧を第１電圧から第２電圧に変更する期間中第１期間の間に第１スイッチを導通し、電極の電圧を第２電圧から第１電圧に変更する期間中第２期間の間に第１スイッチを導通させる。ここで、第１期間および第２期間は、それぞれ６２ｎｓ以上であることを特徴とする。
【０００７】
本発明のプラズマ表示装置の駆動回路は、集積回路形態に形成することもできる。また、電極と電力回収用キャパシタを連結するパッケージング連結部材をさらに備えてもよい。このとき、駆動回路は、パッケージング連結部材に備えられる。パッケージング連結部材は、テープキャリアパッケージを有するように構成してもよい。
【０００８】
また、第１期間および第２期間は、それぞれ１３２ｎｓ以下となるようにしてもよい。
【０００９】
さらに、駆動部は、第１電圧を供給する第１電源と電極の間に連結されている第２スイッチと、第２電圧を供給する第２電源と電極の間に連結されている第３スイッチと、を備えてもよい。
【００１０】
また、上記課題を解決するために、本発明の別の観点によれば、アドレス電極とアドレス電極に連結されるアドレス駆動回路を備えるプラズマ表示装置の駆動方法が提供される。かかる駆動方法は、アドレス電極の電圧を第１電圧から第２電圧に変更する第１の変更段階と、アドレス電極の電圧を第１電圧から第２電圧に変更する期間中、アドレス駆動回路のアドレス電極と電力回収用キャパシタの間の電流経路を制御するスイッチを導通する第１の導通段階と、アドレス電極に第２電圧を印加する第２電圧印加段階と、アドレス電極の電圧を第２電圧から第１電圧に変更する第２の変更段階と、アドレス電極の電圧を第２電圧から第１電圧に変更する期間中スイッチを導通する第２の導通段階と、アドレス電極に第１電圧を印加する第１電圧印加段階と、を含む。ここで、第１の導通段階および第２の導通段階におけるスイッチを導通する時間は、６２ｎｓ以上であることを特徴とする。
【００１１】
積回路形態に形成することもできる。また、電極と電力回収用キャパシタを連結するパッケージング連結部材をさらに備えてもよい。このとき、駆動回路は、パッケージング連結部材に備えられる。
【００１２】
また、第１の変更段階においてアドレス電極の電圧を第２電圧に変更した後、アドレス電極に第２電圧を印加する前にアドレス電極をフローティングする第１のフローティング段階と、第２の変更段階においてアドレス電極の電圧を第１電圧に変更した後、アドレス電極に第１電圧を印加する前にアドレス電極をフローティングする第２のフローティング段階と、をさらに含むこともできる。
【００１３】
上記課題を解決するために、本発明のさらに他の観点によれば、アドレス電極と、アドレス電極駆動部を備えるプラズマ表示装置が提供される。アドレス電極駆動部は、電力回収用キャパシタとアドレス駆動回路とを備え、アドレス駆動回路は、電力回収用キャパシタとアドレス電極との間の電流経路を制御する第１スイッチを備える。アドレス電極の電圧を第１電圧から第２電圧に変更する第１期間中所定期間の間第１スイッチを導通して、アドレス電極の電圧を第２電圧から第１電圧に変更する第２期間中所定期間の間第１スイッチを導通する。このとき、第１期間および第２期間は６２ｎｓ以上とすることを特徴とする。
【発明の効果】
【００１４】
以上説明したように本発明によれば、アドレス放電の失敗確率を最少化しながら、電力回収効率を向上させることが可能なプラズマ表示装置およびその駆動方法を提供することができる。
【発明を実施するための最良の形態】
【００１５】
以下に添付図面を参照しながら、本発明の好適な実施の形態について詳細に説明する。なお、本明細書および図面において、実質的に同一の機能構成を有する構成要素については、同一の符号を付することにより重複説明を省略する。明細書全体において、ある部分が何らかの構成要素を「含む」とするとき、これは特に反対になる記載がない限り他の構成要素を除くものではなく、他の構成要素を更に包含できるものを意味する。また、ある部分が他の部分と「連結」されているというとき、これは直接的に連結されている場合だけでなく、その間に他の素子を間において連結されている場合も含む。
【００１６】
以下、本発明の実施形態にかかるプラズマ表示装置およびその駆動方法について詳細に説明する。まず、図１に基づいて、本実施形態にかかるプラズマ表示装置について説明する。なお、図１は本実施形態にかかるプラズマ表示装置を概略的に示す説明図である。
【００１７】
本実施形態にかかるプラズマ表示装置は、図１に示すように、プラズマ表示パネル１００、制御部２００、アドレス電極駆動部３００、走査電極駆動部４００および維持電極駆動部５００を含む。
【００１８】
プラズマ表示パネル１００は、行方向（図１の垂直方向）にのびる複数のアドレス電極（以下、“Ａ電極”という）（Ａ１〜Ａｍ）、列方向（図１の水平方向）に互いに対をなしてのびる複数の維持電極（以下、“Ｘ電極”という）（Ｘ１〜Ｘｎ）、および複数の走査電極（以下、“Ｙ電極”という）（Ｙ１〜Ｙｎ）を含む。一般に、Ｘ電極（Ｘ１〜Ｘｎ）は、各Ｙ電極（Ｙ１〜Ｙｎ）に対応して形成されており、Ｘ電極（Ｘ１〜Ｘｎ）とＹ電極（Ｙ１〜Ｙｎ）が維持期間において表示動作を行うことにより画像が表示される。Ｙ電極（Ｙ１〜Ｙｎ）およびＸ電極（Ｘ１〜Ｘｎ）は、Ａ電極（Ａ１〜Ａｍ）と直交するように配置される。このとき、Ａ電極（Ａ１〜Ａｍ）とＸおよびＹ電極（Ｘ１〜Ｘｎ、Ｙ１〜Ｙｎ）との交差部にある放電空間がセル１１０を形成する。なお、このようなプラズマ表示パネル１００の構造は一例であり、以下で説明する駆動波形が適用できる他の構造のパネルにも本発明は適用可能である。
【００１９】
制御部２００は、外部から映像信号を受信してＡ電極駆動制御信号、Ｘ電極駆動制御信号、およびＹ電極駆動制御信号を出力する。そして制御部２００は１フレームを複数のサブフィールドに分割して駆動する。このサブフィールドの加重値の組み合わせによって、階調が表現される。
【００２０】
アドレス電極駆動部３００は、制御部２００からＡ電極駆動制御信号を受信し、アドレス期間の間に点灯されるセルと点灯されないセルとを選択するためのアドレスパルスをＡ電極（Ａ１〜Ａｍ）に選択的に印加する。
【００２１】
走査電極駆動部４００は、制御部２００からＹ電極駆動制御信号を受信してＹ電極に駆動電圧を印加する。特に、走査電極駆動部４００はアドレス期間の間にＹ電極（Ｙ１〜Ｙｎ）に選択的に走査パルスを印加する。例えば、走査電極駆動部４００は、Ｙ電極（Ｙ１〜Ｙｎ）が列方向に配列されている順にＹ電極（Ｙ１〜Ｙｎ）に順次に走査パルスを印加することができる。
【００２２】
維持電極駆動部５００は、制御部２００からＸ電極駆動制御信号を受信してＸ電極（Ｘ１〜Ｘｎ）に駆動電圧を印加する。
【００２３】
次に、アドレス電極駆動部３００について図２を参照して詳細に説明する。なお、図２は、本実施形態にかかるアドレス電極駆動部３００を概略的に示す説明図である。
【００２４】
本実施形態にかかるアドレス電極駆動部３００は、図２に示すように、少なくとも一つの電力回収用キャパシタ（Ｃ１）と、Ａ電極（図１のＡ１〜Ａｍ）にそれぞれ連結される複数のアドレス駆動回路３１０とを含む。図２では説明の便宜上、一つのＡ電極（Ａ）に連結されているアドレス駆動回路３１０だけを示し、Ａ電極（Ａ）とＹ電極（Ｙ）によって形成される容量性成分をパネルキャパシタ（Ｃｐ）で示した。複数のアドレス駆動回路３１０のうちの所定個数のアドレス駆動回路３１０は、一つの集積回路として形成することができる。このような集積回路は、例えばテープキャリアパッケージ（ＴＣＰ）等のパッケージング連結部材にチップなどの形態で装着することができる。パッケージング連結部材は、プラズマ表示パネル１００とアドレス電極駆動部３００の印刷回路基板（図示せず。）に接着される。また、電力回収用キャパシタ（Ｃ１）は、印刷回路基板に装着されて、パッケージング連結部材の集積回路に連結できる。
【００２５】
また、少なくとも一つの電力回収用キャパシタ（Ｃ１）は、複数のＡ電極（図１のＡ１〜Ａｍ）に連結されている複数のアドレス駆動回路３１０に共通に連結されてもよく、所定個数のアドレス駆動回路（例えば、所定個数のアドレス駆動回路から構成された集積回路）毎に別個の電力回収用キャパシタ（Ｃ１）を連結させてもよい。ここで、パネルキャパシタ（Ｃｐ）に比べて電力回収用キャパシタ（Ｃ１）の大きさが大きく、かつスイッチ（Ｓ３）が導通しているとき、パネルキャパシタ（Ｃｐ）で充電または放電される電流による電力回収用キャパシタ（Ｃ１）の電圧変化は小さいものと仮定する。そして、電力回収用キャパシタ（Ｃ１）は、Ｖａ電圧と０Ｖの間の電圧、特に約Ｖａ／２電圧を供給するものと仮定する。
【００２６】
アドレス駆動回路３１０は、駆動用スイッチ（Ｓ１）、接地用スイッチ（Ｓ２）および電力回収用スイッチ（Ｓ３）を備える。駆動用スイッチ（Ｓ１）はアドレスパルスのハイレベル電圧、すなわちアドレス電圧（Ｖａ）を供給する電源（Ｖａ）とＡ電極との間に連結されており、接地用スイッチ（Ｓ２）はアドレスパルスのローレベル電圧、すなわち非アドレス電圧（図２では０Ｖ）を供給する電源とＡ電極との間に連結されている。そして電力回収用スイッチ（Ｓ３）は電力回収用キャパシタ（Ｃ１）とＡ電極との間に連結されている。
【００２７】
図２において、各スイッチ（Ｓ１、Ｓ２、Ｓ３）には例えば電界効果トランジスタを用いることができ、同一または類似の機能をする他のスイッチを用いることもできる。また、ボディダイオードが形成されたトランジスタをスイッチ（Ｓ１、Ｓ２、Ｓ３）として使用する場合には、ボディダイオードによって電力回収用キャパシタ（Ｃ１）が充電または放電される経路を遮断するために、スイッチ（Ｓ３）をバック対バック形態（ｂａｃｋ−ｔｏ−ｂａｃｋ；２つのトランジスタのソースが互いに連結されている形態または２つのトランジスタのドレインが互いに連結されている形態）で連結されたトランジスタとして形成してもよい。
【００２８】
次に、図２のアドレス電極駆動部３００の動作について、図３および図４Ａ〜図４Ｄを参照して詳細に説明する。なお、図３は、図２のアドレス電極駆動部３００の信号タイミングを示す説明図である。図４Ａ〜図４Ｄは、それぞれ図２のアドレス電極駆動部３００の動作を示す説明図である。なお、モード１（Ｍ１）が始まる前に、接地用スイッチ（Ｓ２）が導通してＡ電極（Ａ）に接地電圧（０Ｖ）が印加されていると仮定する。
【００２９】
図３および図４Ａを参照すれば、まず、モード１（Ｍ１）では、接地用スイッチ（Ｓ２）が遮断し、電力回収用スイッチ（Ｓ３）が導通する。これにより、図４Ａに示すように電力回収用キャパシタ（Ｃ１）、電力回収用スイッチ（Ｓ３）およびパネルキャパシタ（Ｃｐ）の電流経路を通じて、電力回収用キャパシタ（Ｃ１）に充電されている電圧が直接パネルキャパシタ（Ｃｐ）に充電される。したがって、Ａ電極（Ａ）の電圧は０Ｖから所定の電圧近傍まで増加する。このとき、Ａ電極（Ａ）の電圧は、電力回収用スイッチ（Ｓ３）の導通時間によって決定される。前述したように、電力回収用キャパシタ（Ｃ１）には約Ｖａ／２電圧が充電されており、電力回収用キャパシタ（Ｃ１）の容量が大きいと仮定すれば、Ａ電極（Ａ）の電圧は約Ｖａ／２電圧まで増加できる。
【００３０】
そして、電力回収用キャパシタ（Ｃ１）の電圧がパネルキャパシタ（Ｃｐ）に直接充電することにより、外部インダクタとパネルキャパシタ（Ｃｐ）との共振を用いてパネルキャパシタ（Ｃｐ）を充電する場合より充電時間を減らすことができる。
【００３１】
次いで、図３および図４Ｂを参照すれば、モード２（Ｍ２）では、電力回収用スイッチ（Ｓ３）が遮断して駆動用スイッチ（Ｓ１）が導通する。これにより、図４Ｂに示すように電源（Ｖａ）、駆動用スイッチ（Ｓ１）およびパネルキャパシタ（Ｃｐ）の経路を通じて、パネルキャパシタ（Ｃｐ）のＡ電極にＶａ電圧が印加される。
【００３２】
さらに、図３および図４Ｃを参照すれば、モード３（Ｍ３）では、駆動用スイッチ（Ｓ２）が遮断して電力回収用スイッチ（Ｓ３）が導通する。これにより、図４Ｃに示すようにパネルキャパシタ（Ｃｐ）、電力回収用スイッチ（Ｓ３）および電力回収用キャパシタ（Ｃ１）の経路を通じて、パネルキャパシタ（Ｃｐ）に充電されていた電圧が電力回収用キャパシタ（Ｃ１）に回収される。したがって、Ａ電極（Ａ）の電圧はＶｓ電圧から所定の電圧近傍まで減少する。前述したように、電力回収用キャパシタ（Ｃ１）の容量が大きいと仮定すれば、Ａ電極（Ａ）の電圧は約Ｖａ／２電圧まで減少することができる。
【００３３】
その後、図３および図４Ｄを参照すれば、モード４（Ｍ４）では、電力回収用スイッチ（Ｓ３）が遮断して接地用スイッチ（Ｓ２）が導通する。これにより、図４Ｄに示すようにパネルキャパシタ（Ｃｐ）、接地用スイッチ（Ｓ２）の経路を通じて、パネルキャパシタ（Ｃｐ）のＡ電極に０Ｖ電圧が印加される。
【００３４】
そして、モード１（Ｍ１）とモード２（Ｍ２）の間およびモード３（Ｍ３）とモード４（Ｍ４）の間の所定期間の間、Ａ電極をフローティングさせてもよい。つまり、フローティング期間なしにモード２（Ｍ２）で電力回収用スイッチ（Ｓ３）の逆回復時間により駆動用スイッチ（Ｓ１）と電力回収用スイッチ（Ｓ３）が同時にオンされる場合を発生させることができる。これにより、アドレス電極駆動部３００の動作に異常を発生させることができる。同様に、モード４（Ｍ４）で電力回収用スイッチ（Ｓ３）の逆回復時間により接地用スイッチ（Ｓ２）と電力回収用スイッチ（Ｓ３）が同時にオンされる場合を発生させることができる。そうすれば、電力回収用キャパシタ（Ｃ１）に充電されていた電圧が接地用スイッチ（Ｓ２）を通じて放電されて、アドレス電極駆動部３００の動作に異常を発生させることができる。従って、モード１（Ｍ１）とモード２（Ｍ２）の間およびモード３（Ｍ３）とモード４（Ｍ４）の間の所定期間の間、Ａ電極をフローティングすれば、駆動用スイッチ（Ｓ１）と電力回収用スイッチ（Ｓ３）が同時にオンされる場合および接地用スイッチ（Ｓ２）と電力回収用スイッチ（Ｓ３）が同時にオンされる場合を防止することができる。
【００３５】
前述したモード１〜モード４（Ｍ１〜Ｍ４）は、Ａ電極（Ａ）に印加されるデータ（以下、「アドレスデータ」という。）が変わる場合に動作する。例えば、第１Ｙ電極（図１のＹ１）に走査パルスが印加される期間（Ｍ１が始まる前の期間）にＡ電極（Ａ）に０Ｖ電圧が印加され、第２Ｙ電極（図１のＹ２）に走査パルスが印加される期間（Ｍ２）にＡ電極（Ａ）にＶａ電圧が印加され、第３Ｙ電極（図１のＹ３）に走査パルスが印加される期間（Ｍ４）にＡ電極（Ａ）に０Ｖ電圧が印加される場合には、モード１〜モード４（Ｍ１〜Ｍ４）のように動作することができる。しかしながら、第２走査電極および第３走査電極（図１のＹ２、Ｙ３）に走査パルスが印加される期間（Ｍ２、Ｍ４）にＡ電極（Ａ）に全てＶａ電圧が印加されれば、モード３（Ｍ３）なしに（つまり、Ａ電極（Ａ）の電圧を減少させる過程なしに）Ａ電極（Ａ）に引き続きＶａ電圧を印加させることができる。同様に、第１Ａ電極および第２Ａ電極（Ａ）に全て０Ｖ電圧が印加されれば、モード１（Ｍ１）なしに（つまり、Ａ電極（Ａ）の電圧を増加させる過程なしに）Ａ電極（Ａ）に引き続き０Ｖ電圧を印加させることができる。
【００３６】
一方、Ａ電極（Ａ）の電圧を増加させるとき、電力回収用スイッチ（Ｓ３）の導通期間（図３のＭ１）が短ければ、Ａ電極（Ａ）の電圧はＶａ／２電圧より低い電圧まで増加する。同様に、Ａ電極（Ａ）の電圧を減少させるとき、電力回収用スイッチ（Ｓ３）の導通期間（図３のＭ３）が短ければ、Ａ電極（Ａ）の電圧はＶａ／２電圧より高い電圧まで減少する。つまり、Ａ電極（Ａ）の電圧を変更する期間（図３のＭ１、Ｍ３）が短ければ、Ａ電極（Ａ）にＶａ電圧が印加される期間（図３のＭ２）が長くなるので、アドレス放電を安定的に発生させることはできるが、電力回収用キャパシタ（Ｃ１）への電荷移動は少なくなり電力回収効率が落ちる。また、Ａ電極（Ａ）の電圧を増加させるとき、電力回収用スイッチ（Ｓ３）の導通期間（図３のＭ１、Ｍ３）が長ければ、電力回収効率を上げることはできるが、Ａ電極（Ａ）にＶａ電圧が印加される期間（図３のＭ２）が短くなるので、アドレス放電が十分に起こらない確率が高くなる。
【００３７】
以下、アドレス放電の失敗確率を最少化しながら、電力回収効率を向上させることができるようにする電力回収用スイッチ（Ｓ３）の導通期間の範囲について図５、図６Ａ、図６Ｂ、図７Ａおよび図７Ｂを参照して詳細に説明する。なお、図５は、本実施形態にかかる電力回収用スイッチ（Ｓ３）のＯＮ／ＯＦＦのタイミングを示す波形図（図３に対応）である。図６Ａは、ドットＯＮ／ＯＦＦパターンを概略的に示す説明図である。図６Ｂは、ドットＯＮ／ＯＦＦパターンの映像信号入力時のパネルキャパシタンスをモデリングした回路図である。また、図７Ａは、フルホワイトパターンを概略的に示す説明図である。図７Ｂは、フルホワイトパターンの映像信号入力時のパネルキャパシタンスをモデリングした回路図である。
【００３８】
図３、図５に示すように、Ａ電極（Ａ）の電圧が０Ｖ電圧から中段電圧（Ｖａ／２）を経てＶａ電圧まで変更される期間（Ｔｒ）を数式１のように定義し、電力回収用スイッチ（Ｓ３）が導通する期間（Ｔｅｒｃ（ｒ））を数式２のように定義する。
【００３９】
Ｔｒ＝ｔ２＋ｔ３＋ｔ４＋ｔ５      ・・・（数式１）
Ｔｅｒｃ＝ｔ１＋ｔ２＋ｔ３          ・・・（数式２）
【００４０】
ここで、ｔ１は休止期間であり、ｔ２はキャパシタ（Ｃ１）の電荷によりパネルキャパシタ（Ｃｐ）に電荷を充電させる期間である。また、ｔ３の期間は一般に時間幅０に設定される。ｔ４はハイインピーダンス状態であって、スイッチ（Ｓ１、Ｓ２、Ｓ３）が全てオフされたフローティング状態を示す。
【００４１】
このとき、Ｉｏｕｔ＝定電流と仮定すれば、ｔ２は数式３のように決定され、ｔ５は数式４のように決定できる。
【００４２】
ｔ２＝（Ｃｐ×Ｖａ）／（２×Ｉｏｕｔ）      ・・・（数式３）
ｔ５＝（Ｃｐ×Ｖａ）／（２×Ｉｏｕｔ）      ・・・（数式４）
【００４３】
数式３および数式４において、Ｉｏｕｔはアドレス駆動回路３１０の出力電流値であり、１５ｍＡ〜１８ｍＡ程度である。Ｖａはアドレス電圧であり、Ｃｐはパネルキャパシタンスである。パネルキャパシタンス（Ｃｐ）はアドレスデータの変化量に比例する。従って、図６ＡのようなドットＯＮ／ＯＦＦパターンの映像信号が入力される場合、パネルキャパシタンス（Ｃｐ）は最大になり、図７Ａのようなフルホワイトパターンの映像信号が入力される場合、パネルキャパシタンス（Ｃｐ）は最小になる。
【００４４】
具体的に、図６ＡのようにドットＯＮ／ＯＦＦパターン、つまり、アドレスデータが１から０、０から１に変化するパターンの映像信号が継続して入力される場合、Ａ電極とＹおよびＸ電極間パネルキャパシタンス（Ｃｙ、Ｃｘ）が形成され、隣接Ａ電極間パネルキャパシタンス（Ｃａ）が形成される。従って、各アドレス駆動回路３１０の出力（ｏｕｔｐｕｔ  １〜ｏｕｔｐｕｔ  ｍ）に連結されるパネルキャパシタンス（Ｃｐ）は図６Ｂに示すようにモデリングでき、一つのアドレス駆動回路３１０の出力に連結されるパネルキャパシタンス（Ｃｐ）はＣｘ＋Ｃｙ＋Ｃａ＋Ｃａになる。
【００４５】
そして、図７Ａのようにフルホワイトパターン、つまり、アドレスデータが変化しないパターンの映像信号が入力される場合、Ａ電極とＹおよびＸ電極間パネルキャパシタンス（Ｃｙ、Ｃｘ）が形成されるが、隣接Ａ電極間には同一な電位を有するので、隣接Ａ電極間パネルキャパシタンス（Ｃａ）は形成されない。従って、各アドレス駆動回路３１０の出力（ｏｕｔｐｕｔ  １〜ｏｕｔｐｕｔ  ｍ）に連結されるパネルキャパシタンス（Ｃｐ）は図７Ｂのようにモデリングでき、一つのアドレス駆動回路３１０の出力に連結されるパネルキャパシタンス（Ｃｐ）はＣｘ＋Ｃｙになる。
【００４６】
一般に、アドレスパルスは電力回収動作の要否に関係なく一定の幅（例えば、約１．０〜３．０μｓ）を有し、高速アドレッシングでアドレスパルスは通常約１．０〜２．０μｓの幅を有する。このとき、安定したアドレス放電のためにはＶａ電圧を維持する時間がアドレス放電遅延より長くなければならない。アドレス放電遅延は統計的な遅延（Ｔ（ｓ））と放電形成遅延（Ｔ（ｆ））で構成されるが、一般にアドレス放電遅延は常温で約３００〜６００ｎｓ、低温で約４００〜７００ｎｓ時間範囲で分布される。従って、Ｖａ電圧を維持する時間は最小限７００ｎｓでなければならない。
【００４７】
そして、Ｃｘ＋Ｃｙは３０ｐＦであり、Ｃａは１５ｐＦであると仮定するとき、Ｉｏｕｔは１５ｍＡ〜１８ｍＡ程度である。ドットＯＮ／ＯＦパターンとフルホワイトパターンの場合、電力回収用スイッチ（Ｓ３）が導通する期間（Ｔｅｒｃ（ｒ））を算出すると、表１のようになる。このとき、電力Ｐは（電圧Ｖ）２に比例するので、６０Ｖ以下の電圧、例えば、５０Ｖの電圧を使用すれば６０Ｖ対比約３１％の電力が節減され、４０Ｖの電圧を使用すれば６０Ｖ対比約５６％の電力が節減されるので、Ｖａを５０Ｖや４０Ｖを使用すれば電力回収回路を用いる必要がない。従って、Ｖａは６０Ｖと仮定した。そして、ｔ１およびｔ６は１２ｎｓと仮定し、ｔ３およびｔ８は０ｎｓと仮定した。このとき、ｔ１およびｔ６はアドレス駆動回路３１０を正常動作させるための最小設計仕様値であり、１２ｎｓ以下になれば、アドレス駆動回路３１０が正常的な動作を行えず、１２ｎｓ以上になればプラズマ表示装置の駆動に所要される時間を浪費するようになる。しかし、これは設計仕様により変わることがある。
【００４８】
【表１】
2009042731.tif 000003
【００４９】
表１に示すように、本実施形態によれば電力回収用スイッチ（Ｓ３）を導通する期間（Ｔｅｒｃ（ｒ））を最小６２ｎｓ以上、最大１３２ｎｓ以下にする。このとき、電力回収用スイッチ（Ｓ３）が導通する期間（Ｔｅｒｃ（ｒ））が６２ｎｓより短ければ電力回収用キャパシタ（Ｃ１）からパネルキャパシタ（Ｃｐ）への電荷移動が少なく、アドレス駆動回路３１０の消費電力が上昇するようになる。電力回収用スイッチ（Ｓ３）が導通する期間（Ｔｅｒｃ（ｒ））が１３２ｎｓより長くなればＶａ電圧を維持する期間が短くなり、これからＶａ電圧を維持する期間を７００ｎｓ以下になるようにすることができる。かかる状態となれば、アドレス放電が十分に起こらないようになる。
【００５０】
そして、図５に示すように、Ａ電極（Ａ）の電圧がＶａ電圧から０Ｖ電圧まで変更される期間（Ｔｆ）を数式５のように定義し、電力回収用スイッチ（Ｓ３）が導通する期間（Ｔｅｒｃ（ｆ））を数式６のように定義することができる。
【００５１】
Ｔｆ＝ｔ７＋ｔ８＋ｔ９＋ｔ１０      ・・・（数式５）
Ｔｅｒｃ（ｆ）＝ｔ６＋ｔ７＋ｔ８        ・・・（数式６）
【００５２】
ここで、ｔ６は休止期間であり、ｔ７は電力回収用キャパシタ（Ｃ１）の電荷によりパネルキャパシタ（Ｃｐ）に電荷を充電させる期間であり、ｔ８は一般に０に設定される。ｔ９はハイインピーダンス状態であって、スイッチ（Ｓ１、Ｓ２、Ｓ３）が全てオフされたフローティング状態を示す。
【００５３】
このとき、Ｉｏｕｔ＝定電流と仮定すれば、ｔ７は数式７のように決定され、ｔ１０は数式８のように決定できる。
【００５４】
ｔ７＝（Ｃｐ×Ｖａ）／（２×Ｉｏｕｔ）      ・・・（数式７）
ｔ１０＝（Ｃｐ×Ｖａ）／（２×Ｉｏｕｔ）    ・・・（数式８）
【００５５】
つまり、Ａ電極（Ａ）の電圧がＶａ電圧から０Ｖ電圧まで変更される期間（Ｔｆ）中、
電力回収用スイッチ（Ｓ３）が導通する期間（Ｔｅｒｃ（ｆ））はＡ電極（Ａ）の電圧が０Ｖ電圧からＶａ電圧まで変更される期間（Ｔｒ）中、電力回収用スイッチ（Ｓ３）が導通する期間（Ｔｅｒｃ（ｒ））と同一である。
【００５６】
一方、本実施形態では、図２に示す駆動回路がアドレス電極駆動部３００に適用されたものと説明したが、図２に示す駆動回路はＹ電極および／またはＸ電極を駆動する走査電極駆動部４００および／または維持電極駆動部５００に適用してもよい。
【００５７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００５８】
【図１】本実施形態にかかるプラズマ表示装置を概略的に示す説明図である。
【図２】同実施形態にかかるアドレス電極駆動部を概略的に示す説明図である。
【図３】図２のアドレス電極駆動部の信号タイミングを示す説明図である。
【図４Ａ】図２のアドレス電極駆動部の動作を示す説明図である。
【図４Ｂ】図２のアドレス電極駆動部の動作を示す説明図である。
【図４Ｃ】図２のアドレス電極駆動部の動作を示す説明図である。
【図４Ｄ】図２のアドレス電極駆動部の動作を示す説明図である。
【図５】本同実施形態にかかる電力回収用スイッチ（Ｓ３）のＯＮ／ＯＦＦのタイミングを示す波形図であって、図３に対応する。
【図６Ａ】ドットＯＮ／ＯＦＦパターン図である。
【図６Ｂ】ドットＯＮ／ＯＦＦパターンの映像信号入力時のパネルキャパシタンスをモデリングした回路図である。
【図７Ａ】フルホワイトパターン図面である。
【図７Ｂ】フルホワイトパターンの映像信号入力時のパネルキャパシタンスをモデリングした回路図である。
【符号の説明】
【００５９】
１００    プラズマ表示パネル
１１０    放電セル
２００    制御部
３００    アドレス電極駆動部
３１０    アドレス駆動回路
４００    維持電極駆動部
５００    走査電極駆動部
【図１】
2009042731.tif 000004
【図２】
2009042731.tif 000005
【図３】
2009042731.tif 000006
【図４Ａ】
2009042731.tif 000007
【図４Ｂ】
2009042731.tif 000008
【図４Ｃ】
2009042731.tif 000009
【図４Ｄ】
2009042731.tif 000010
【図５】
2009042731.tif 000011
【図６Ａ】
2009042731.tif 000012
【図６Ｂ】
2009042731.tif 000013
【図７Ａ】
2009042731.tif 000014
【図７Ｂ】
2009042731.tif 000015